(57)【要約】【課題】紙葉類を複数の細断片に細断した際に、複数の細断片から元の紙葉類への復元が困難になるように、それら複数の細断片を複数に振り分けて収容することが可能な紙葉細断装置を提供する。【解決手段】紙葉類２を複数の細断片2a,2b,2c,2dに細断する細断手段(一対の細断用ローラ6a,6b)と、細断手段により細断された複数の細断片を収容する複数の収容部4a,4b,4c,4dと、複数の細断片を複数の収容部に振り分ける振分手段(複数の振分通路部10a,10b,10c,10d)とを備えおり、紙葉類は細断手段で複数の細断片に細断された後、複数の細断片から元の紙葉類への復元が困難になるように、それら複数の細断片は複数に振り分けて複数の収容部に収容される。【選択図】    図１
2005152700.tif 000002
【特許請求の範囲】
【請求項１】
紙葉類を複数の細断片に細断する細断手段と、
前記細断手段により細断された複数の細断片を収容する複数の収容部と、
前記複数の細断片を前記複数の収容部に振り分ける振分手段と、を備えていることを特徴とする紙葉細断装置。
【請求項２】
前記細断手段と前記振分手段との間には、前記複数の細断片を前記振分手段に誘導する誘導部が設けられていることを特徴とする請求項１に記載の紙葉細断装置。
【請求項３】
前記振分手段は、前記複数の細断片を前記複数の収容部に向けて振り分ける複数の振分通路部を備えていることを特徴とする請求項１又は２に記載の紙葉細断装置。
【請求項４】
前記複数の収容部は、それぞれ、複数の細断片を収容するための収容量を増減変化させて構成することが可能であることを特徴とする請求項１〜３のいずれか１に記載の紙葉細断装置。
【請求項５】
前記複数の収容部には、それぞれ、収容した複数の細断片を攪拌する攪拌機構が設けられていることを特徴とする請求項１〜４のいずれか１に記載の紙葉細断装置。
【発明の詳細な説明】
【技術分野】
【０００１】
本発明は、例えば使用済みの紙葉類(用紙や書類)を複数の細断片に細断する紙葉細断装置に関し、特に、紙葉類を複数の細断片に細断した際に、それら複数の細断片を複数に振り分けて収容することが可能な紙葉細断装置に関する。
【背景技術】
【０００２】
従来、例えば特許文献１に示すように、使用済みの紙葉類(用紙や書類)を細断する紙葉細断装置が知られており、かかる紙葉細断装置に投入された紙葉類は、カッター部で複数の細断片に細断された後、収納室に収納されるようになっている。
【０００３】
ところで、従来の紙葉細断装置において、複数の細断片に細断された紙葉類は、単一(１つ)の収納室に収納されるようになっている。このため、収納室から複数の細断片を取り出して、各々の細断片同士を接続及び接着することにより、元の紙葉類に復元されてしまう場合がある。この場合、復元された元の紙葉類に記載及び表示された情報の取得が容易となり、例えば紙葉類が機密資料であれば、復元された紙葉類に基づいて、その機密内容が外部に漏洩してしまう畏れがある。
【特許文献１】特開２００２−２６３５１４号公報
【発明の開示】
【発明が解決しようとする課題】
【０００４】
本発明は、このような問題を解決するためになされており、その目的は、紙葉類を複数の細断片に細断した際に、複数の細断片から元の紙葉類への復元が困難になるように、それら複数の細断片を複数に振り分けて収容することが可能な紙葉細断装置を提供することにある。
【課題を解決するための手段】
【０００５】
このような目的を達成するために、本発明の紙葉細断装置は、紙葉類２を複数の細断片(例えば2a,2b,2c,2d)に細断する細断手段(例えば、一対の細断用ローラ6a,6b)と、細断手段により細断された複数の細断片を収容する複数の収容部(例えば4a,4b,4c,4d)と、前記複数の細断片を複数の収容部に振り分ける振分手段とを備えている。
この発明において、細断手段と振分手段との間には、前記複数の細断片を振分手段に誘導する誘導部１２が設けられている。また、振分手段は、前記複数の細断片を複数の収容部に向けて振り分ける複数の振分通路部(例えば10a,10b,10c,10d)を備えている。
この場合、複数の収容部のそれぞれを、複数の細断片を収容するための収容量を増減変化させて構成しても良い。また、複数の収容部のそれぞれに、収容した複数の細断片を攪拌する攪拌機構(ファン)１４を設けても良い。
このような発明によれば、紙葉類を複数の細断片に細断した際に、複数の細断片から元の紙葉類への復元が困難になるように、それら複数の細断片を複数に振り分けて収容することができる。
【発明の効果】
【０００６】
本発明によれば、紙葉類を複数の細断片に細断した際に、複数の細断片から元の紙葉類への復元が困難になるように、それら複数の細断片を複数に振り分けて収容することができる。
【発明を実施するための最良の形態】
【０００７】
以下、本発明の一実施の形態に係る紙葉細断装置について、添付図面を参照して説明する。
図１には、本実施の形態の紙葉細断装置の全体構成の概略が示されており、この紙葉細断装置は、紙葉類(例えば、用紙や書類)２を複数の細断片(例えば2a,2b,2c,2d)に細断する細断手段と、細断手段により細断された複数の細断片を収容する複数の収容部(例えば4a,4b,4c,4d)と、細断手段により細断された複数の細断片を複数の収容部に振り分ける振分手段とを備えている。
なお、本実施の形態では、一例として４つの収容部4a,4b,4c,4dを適用する。
【０００８】
細断手段としては、例えば円柱状に延出した一対の細断用ローラ6a,6bを対向配置して構成することが可能であり、各細断用ローラ6a,6bの外周面には、それぞれ、周方向に連続形成された細断用歯8a,8bが細断用ローラ6a,6bの延出方向に沿って所定ピッチで複数配列されている。
このような細断手段によれば、紙葉細断装置に投入された紙葉類２は、例えば矢印方向R1,R2に互いに逆回転制御された一対の細断用ローラ6a,6bにより、複数の細断用歯8a,8bのピッチ間隔に応じた幅寸法で複数の細断片2a,2b,2c,2dに細断される。この場合、複数の細断用歯8a,8bのピッチ間隔を変更することにより、紙葉類２の細断幅(複数の細断片2a,2b,2c,2dの幅寸法)を大小変化させることができる。
なお、図面上において、複数の細断片2a,2b,2c,2dが識別できるように、例えば、細断片２ａの表面にドット、細断片２ｂの表面に斜線、細断片２ｄの表面に黒塗りを施しているが、これらは各細断片2a,2b,2c,2dの材質や断面を示すものでは無い。
【０００９】
４つの収容部4a,4b,4c,4dは、それぞれ、細断手段により細断された複数の細断片2a,2b,2c,2dを収容できるような箱形を成しており、各収容部4a,4b,4c,4d毎に収容された複数の細断片2a,2b,2c,2dを取り出すことができるようになっている。なお、複数の細断片2a,2b,2c,2dを取り出す手段としては、例えば開閉可能な扉(図示しない)を配設すれば良い。
【００１０】
振分手段は、細断手段(一対の細断用ローラ6a,6b)により細断された複数の細断片2a,2b,2c,2dを４つの収容部4a,4b,4c,4dに向けて振り分ける複数の振分通路部(例えば10a,10b,10c,10d)を備えている。
複数の振分通路部10a,10b,10c,10dは、４つの収容部4a,4b,4c,4dの数に合わせて設けられており、従って、本実施の形態では、４つの振分通路部10a,10b,10c,10dが４つの収容部4a,4b,4c,4dに向って設けられている。この場合、細断手段により細断された複数の細断片2a,2b,2c,2dのうち、例えば、振分通路部１０ａを通った細断片２ａは収容部４ａに収容され、振分通路部１０ｂを通った細断片２ｂは収容部４ｂに収容され、振分通路部１０ｃを通った細断片２ｃは収容部４ｃに収容され、振分通路部１０ｄを通った細断片２ｄは収容部４ｄに収容される。
なお、図面上では、４つの収容部4a,4b,4c,4dが互い違いに配置されている関係上、それに合わせて、４つの振分通路部10a,10b,10c,10dも振分方向を互い違いにしているが、４つの振分通路部10a,10b,10c,10dが４つの収容部4a,4b,4c,4dに向うような配置であれば、これに限定されることは無い。例えば４つの収容部4a,4b,4c,4dを同一直線上に並列させた場合では、それぞれの収容部4a,4b,4c,4dに向うように４つの振分通路部10a,10b,10c,10dを並列配置すれば良い。
【００１１】
以上、本実施の形態によれば、紙葉細断装置に投入された紙葉類２は、細断手段(一対の細断用ローラ6a,6b)により複数の細断片2a,2b,2c,2dに細断された後、４つの振分通路部10a,10b,10c,10dで振り分けられることにより、振分通路部１０ａを通った細断片２ａは収容部４ａに収容され、振分通路部１０ｂを通った細断片２ｂは収容部４ｂに収容され、振分通路部１０ｃを通った細断片２ｃは収容部４ｃに収容され、振分通路部１０ｄを通った細断片２ｄは収容部４ｄに収容される。
この場合、各々の収容部4a,4b,4c,4dに収容された複数の細断片2a,2b,2c,2dは、元の紙葉類２の一部であるため、いずれかの収容部(例えば４ａ)から複数の細断片(例えば２ａ)を取り出して、各々の細断片２ａ同士を接続及び接着しても、元の紙葉類２を復元することはできない。更に、４つの収容部4a,4b,4c,4dから複数の細断片2a,2b,2c,2dをそれぞれ取り出して、各々細断片2a,2b,2c,2d同士を接続及び接着する作業は限界があり、元の紙葉類２を完全に復元することは極めて困難である。この結果、元の紙葉類に記載及び表示された情報の取得ができないため、例えば紙葉類２が機密資料であっても、その機密内容が外部に漏洩してしまうことは無い。
【００１２】
なお、本発明は、上述した実施の形態に限定されることは無く、以下のように変更することが可能である。
第１の変形例として、例えば図２に示すように、細断手段(一対の細断用ローラ6a,6b)と振分手段(４つの振分通路部10a,10b,10c,10d)との間に、細断手段により細断された複数の細断片2a,2b,2c,2dを振分手段に誘導する誘導部１２を設けても良い。なお、誘導部１２としては、細断された複数の細断片2a,2b,2c,2dを障害無く円滑に振分手段に送り出すことが可能な中空部材(箱や筒など)を用いれば良い。
このような誘導部１２を設ける場合としては、例えば細断手段と振分手段との間に他の装置構成を介在させなければならない場合や、紙葉細断装置を薄型化させるために上下方向に装置構成が延在してしまう場合が想定される。
このような場合でも、誘導部１２を設けることにより、どのようなタイプの紙葉細断装置であっても、細断された複数の細断片2a,2b,2c,2dを円滑に振分手段に誘導することが可能となる。なお、その他の作用効果は、上述した実施の形態と同様であるため、その説明は省略する。
【００１３】
第２の変形例として、例えば図３に示すように、４つの収容部4a,4b,4c,4dの収容量(複数の細断片2a,2b,2c,2dを収容するための収容量)を増減変化させて構成しても良い。同図では、その一例として、収容部4a,4dの収容量を収容部4b,4cよりも大きくしている。
このように４つの収容部4a,4b,4c,4dの収容量に変化をつけることにより、各収容部4a,4b,4c,4dが複数の細断片2a,2b,2c,2dで満杯になるタイミングに時間差をつけることが可能になる。具体的に説明すると、各収容部4a,4b,4c,4dが複数の細断片2a,2b,2c,2dで満杯になったとき、所定のタイミングで複数の細断片2a,2b,2c,2dを各収容部4a,4b,4c,4dから取り出して廃棄するといった作業が行われる。
この場合、各収容部4a,4b,4c,4dの収容量を全て同一に設定すると、上記の廃棄作業のタイミングも略同一になり、その結果、同時に廃棄された物の中には、元の紙葉類２の全ての細断片2a,2b,2c,2dが含まれてしまう場合がある。このような場合、廃棄物の中から元の紙葉類２の細断片2a,2b,2c,2dを抽出し、それらを相互に接続及び接着することにより、元の紙葉類２が復元されてしまう畏れがある。
しかしながら、４つの収容部4a,4b,4c,4dの収容量を増減変化させて構成すれば、満杯になった収容部から廃棄作業を行うため、上記の廃棄作業のタイミングに時間差をつけることができる。一例として、収容部４ｂが満杯になった場合、収容部４ｂ内の細断片２ｂのみ廃棄される。このような場合、廃棄物の中には元の紙葉類２の一部の細断片２ｂしか含まれないので、廃棄物の中から元の紙葉類２の細断片２ｂを抽出し、それらを相互に接続及び接着しても、元の紙葉類２を復元することはできない。この結果、例えば紙葉類２が機密資料であっても、その機密内容が外部に漏洩してしまうことは無い。
【００１４】
第３の変形例として、例えば図４に示すように、４つの収容部4a,4b,4c,4dのそれぞれに、収容した複数の細断片2a,2b,2c,2dを攪拌する攪拌機構１４を設けても良い。同図では、攪拌機構１４の一例として、矢印Ｓ方向に回転制御可能なファン１４を適用し、このファン１４の回転力により収容部4a,4b,4c,4d内の複数の細断片2a,2b,2c,2dを攪拌するようになっている。この場合の攪拌方法としては、ファン１４の回転力により収容部4a,4b,4c,4d内の細断片2a,2b,2c,2dを吹き上げて攪拌する方法や、ファン１４の回転力を細断片2a,2b,2c,2dに直接作用させて攪拌する方法が考えられる。
このように、４つの収容部4a,4b,4c,4dに振り分けられた複数の細断片2a,2b,2c,2dを更に攪拌機構(ファン)１４で攪拌することにより、異なる種類の細断片を混合させることができるため、元の紙葉類２への復元性をより一層困難にすることが可能となる。
【００１５】
第４の変形例として、例えば図５に示すように、振分手段(４つの振分通路部10a,10b,10c,10d)を収容部として併用させるように構成しても良い。この構成によれば、部品点数を大幅に削除することが可能となり、その結果、紙葉細断装置のコンパクト化と製造コストの低価格化とを同時に満足させることができる。
【００１６】
また、上述した実施の形態及び第１〜第４の変形例では、４つの収容部4a,4b,4c,4dを例示して説明したが、紙葉細断装置の使用目的や使用環境或いは細断する紙葉類２の大きさ等に応じて、収容部の数並びに振分通路部の数を増減して構成することができることは言うまでも無い。
【産業上の利用可能性】
【００１７】
本発明は、紙葉類(用紙や書類)の細断に限らず、例えば樹脂製品や金属製品などを扱う分野において、その不要品を細断する場合にも利用することが可能である。
【図面の簡単な説明】
【００１８】
【図１】本発明の一実施の形態に係る紙葉細断装置の全体構成を概略的に示す斜視図。
【図２】本発明の第１の変形例に係る紙葉細断装置の全体構成を概略的に示す斜視図。
【図３】本発明の第２の変形例に係る紙葉細断装置の収容部の構成を示す斜視図。
【図４】本発明の第３の変形例に係る紙葉細断装置の収容部の構成を示す斜視図。
【図５】本発明の第４の変形例に係る紙葉細断装置の主要構成を示す斜視図。
【符号の説明】
【００１９】
２  紙葉類
2a,2b,2c,2d  細断片
4a,4b,4c,4d  収容部
6a,6b  細断用ローラ
10a,10b,10c,10d  振分通路部
１２  誘導部
１４  攪拌機構
【図１】
2005152700.tif 000003
【図２】
2005152700.tif 000004
【図３】
2005152700.tif 000005
【図４】
2005152700.tif 000006
【図５】
2005152700.tif 000007